(57)【要約】【課題】  移動ガイドの合わせ操作を容易に行える釣り竿を提供する点にある。【解決手段】  穂先竿１の先端にトップガイド１Ａを設けるとともに竿中間部分の固定位置ｂと竿先側退避位置とに亘って移動可能な移動ガイド１Ｂを設け、穂先竿１の移動ガイド固定位置ｂに、移動ガイド１Ｂの釣り糸誘導孔を、リールから繰出された釣り糸を誘導する糸誘導路に一致させる目印ａを付設してある。目印ａを穂先竿１の軸線方向に沿って付設するとともに、目印ａの幅を竿先側が太く竿尻側を細く付設してある。【選択図】        図２
2006191833.tif 000002
【特許請求の範囲】
【請求項１】
竿先端に固定ガイドを設けるとともに竿中間部分の固定位置と竿先側退避位置とに亘って移動可能な移動ガイドを設け、竿体の前記移動ガイド固定位置に、前記移動ガイドの釣り糸誘導孔を、リールから繰出された釣り糸を誘導する糸誘導路に一致させる目印を付設してある釣り竿であって、
前記目印を竿の軸線方向に沿って付設するとともに、前記目印の幅を竿先側が太く竿尻側を細く付設してある釣り竿。
【請求項２】
竿先端に固定ガイドを有する竿先側竿体と竿先端に固定ガイドを備えた竿尻側竿体とを連結固定自在に構成するとともに、前記竿先側竿体の竿尻端と前記竿尻側竿体の竿先端とに、前記固定ガイド同士の釣り糸誘導孔を、リールから繰出された釣り糸を誘導する糸誘導路に一致させる目印を付設してある釣り竿であって、
前記目印を竿の軸線方向に沿って付設するとともに、前記竿先側竿体の竿尻端と前記竿尻側竿体の竿先端との少なくともいずれか一方の目印を、その目印の軸線方向一端側の幅を太く他端側の幅を細く付設してある釣り竿。
【請求項３】
前記目印が竿体の外周面より突出する凸状に形成してある請求項１又は２記載の釣り竿。
【発明の詳細な説明】
【技術分野】
【０００１】
本発明は、竿の外周面に、釣り糸ガイドの釣り糸ガイド孔をリールから繰出された釣り糸を誘導する糸誘導路に一致させる目印を付設してある釣り竿に関する。
【背景技術】
【０００２】
目印としては、移動ガイドの固定位置に、軸線方向に沿った状態で一定幅のラインを引いていた（特許文献１参照）。
【０００３】
【特許文献１】特開２００３−７０３８４号公報（段落番号〔００１９〕、図４）
【発明の開示】
【発明が解決しようとする課題】
【０００４】
上記した目印として引かれたラインの幅は、略０．２５ｍｍから０．３ｍｍ位であり、移動ガイドの合わせ操作を開始する際に、ラインが目視しにくく、最初にラインの存在を探り出すのに難儀をしており、合わせ操作に手間取ることがあった。
【０００５】
本発明の目的は、移動ガイド等の合わせ操作を容易に行える釣り竿を提供する点にある。
【課題を解決するための手段】
【０００６】
〔構成〕
請求項１に係る発明の特徴構成は、竿先端に固定ガイド及び竿中間位置に固定位置と竿先側退避位置とに亘って移動可能な移動ガイドを設け、竿体の前記移動ガイド固定位置に、前記移動ガイドの釣り糸誘導孔を、リールから繰出された釣り糸を誘導する糸誘導路に一致させる目印を付設してある釣り竿において、前記目印を竿の軸線方向に沿って付設するとともに、前記目印の幅を竿先側が太く竿尻側を細く付設してある点にあり、その作用効果は次の通りである。
【０００７】
〔作用〕
つまり、単純に一定幅でラインを付設して目印とするのではなく、目印の穂先側の幅を太くしてあるので、移動ガイドの合わせ操作を開始する際に、目印を見つけ易い。そして、目印を見付けた状態では、移動ガイドを竿尻側に移動させてその太い幅の部分に合わせればよい。太い幅の部分に合わせるとその目印に沿って移動させれば、目印は細い幅に切り換わるので、移動ガイドの釣り糸誘導孔を、リールから繰出された釣り糸を誘導する糸誘導路に一致させることができる。
【０００８】
〔効果〕
目印幅を変更するだけの簡単な改良を図るだけで、移動ガイドの位置あわせ  を容易に行えるようになった。
【０００９】
請求項２に係る発明の特徴構成は、竿先端に固定ガイドを有する竿先側竿体と竿先端に固定ガイドを備えた竿尻側竿体とを連結固定自在に構成するとともに、前記竿先側竿体の竿尻端と前記竿尻側竿体の竿先端とに、前記固定ガイド同士の釣り糸誘導孔を、リールから繰出された釣り糸を誘導する糸誘導路に一致させる目印を付設してある釣り竿において、前記目印を竿の軸線方向に沿って付設するとともに、前記竿先側竿体の竿尻端と前記竿尻側竿体の竿先端との少なくともいずれか一方の目印を、その目印の軸線方向一端側の幅を太く他端側の幅を細く付設してある点にあり、その作用効果は次の通りである。
【００１０】
〔作用効果〕
つまり、単純に一定幅でラインを付設して目印とするのではなく、目印の一端側の幅を太くしてあるので、竿先側竿体と竿尻側竿体との固定ガイド同士の位置合わせ操作を開始する際に、目印を見つけ易い。そして、目印を見付けた状態では、目印の細い幅部分同士の合わせ操作を行えばよい。これによって、移動ガイドの釣り糸誘導孔を、リールから繰出された釣り糸を誘導する糸誘導路に一致させることができる。
目印幅を変更するだけの簡単な改良を図るだけで、竿体同士の位置あわせを容易に行えるようになった。
【００１１】
請求項３に係る発明の特徴構成は、前記目印が竿体の外周面より突出する凸状に形成してある点にあり、その作用効果は次の通りである。
【００１２】
〔作用効果〕
つまり、目印が凸状に形成してあるので、幅が広くなっている点との相互作用で、目印を見つけやすく、合わせ操作が迅速に行える。
【発明を実施するための最良の形態】
【００１３】
〔第１実施形態〕
振出竿Ａに使用される目印ａについて説明する。
振出竿Ａは、図１に示すように、トップガイド１Ａ，及び、移動ガイド１Ｂを備える穂先竿１、固定ガイド２Ａ及び移動ガイド２Ｂを備えた二番竿２等の中竿、固定ガイド３Ａとリールシート３Ｂとを備えた元竿３を備えて、構成されている。
【００１４】
穂先竿１、中竿、元竿３等の竿体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００１５】
振出竿Ａは、穂先竿１、中竿を元竿３内に収納する収縮状態と穂先竿１、中竿を元竿３より引き出した伸長状態とに切換可能に構成されており、図１に示すように、収縮状態で、穂先竿１、中竿に取り付けられている移動ガイド１Ｂ、２Ｂ等は、竿先端に固定されている固定ガイド１Ａ、２Ａに隣接する竿先側退避位置に移動する状態となる。図２に示すように、前記伸長状態では、各移動ガイド１Ｂ、２Ｂは、竿尻側への移動が可能になり、釣り人の手によって、竿尻側に設けた固定位置ｂに固定される。つまり、移動ガイド１Ｂ、２Ｂの竿に対する取付ボス部１ｂにおける内径は、前記固定位置ｂの外径と同一径に設定してあり、移動ガイド１Ｂ、２Ｂは、テーパ状に形成された竿体の軸線方向に沿って移動し、内径と一致する固定位置ｂで位置固定されることになる。
【００１６】
図２及び図３に示すように、その固定位置ｂでは、軸線方向にそった目印ａが印してある。目印ａは、移動ガイド１Ｂ、２Ｂの固定位置ｂを境にして、竿先側においては、大径の導入部ｃから竿尻側に向けて細幅のものに絞った直線状のものにし、その直線状部分ｄを固定位置ｂを越えて竿尻側までに延長してある。目印ａのラインの幅は、直線状部分ｄが略０．２５ｍｍから０．３ｍｍ位であり、大径の導入部ｃの直径は１ｍｍから１．５ｍｍ位に設定する。
【００１７】
一番竿１と二番竿２等の竿先側竿体と竿尻側竿体との伸長状態において、夫々の竿体に取り付けてある固定ガイド同士の釣り糸誘導孔を、リール（図示せず）から繰出された釣り糸を誘導する糸誘導路に一致させる目印ａについて説明する。図４に示すように、穂先竿１の竿尻端に目印ａを設ける。この目印ａとしては、竿先側が前記したように大径の誘導部ｃとなっており、その誘導部ｃから竿尻側に向けて細幅に絞った直線状部分ｄに形成されている。
【００１８】
このように、竿先側竿体の竿尻端に設けられる目印ａとしては、竿先側が大径の誘導部ｃに形成されているので、図４（イ）に示すように、短縮状態では二番竿２の内部に隠されている目印ａが伸長状態に切り換える際に図４（ロ）に示すように大径の誘導部ｃが先行して表れるので、目印ａを釣り人が見付け易い。そして、竿尻端側が細幅の直線状部分ｄのものであるので、二番竿２の玉口に設けた固定ガイド２Ａとの位置合わせが正確容易に行える。
目印ａは、樹脂のスクリーン印刷等によって、形成される。
【００１９】
〔第２実施形態〕
並継式竿Ｂに使用される目印ａについて説明する。
図５に示すように、並継式竿Ｂは、中間固定ガイド５Ｂを備えた穂先竿５と、中間固定ガイド６Ｂとを備えた二番竿６等を備えて構成されており、穂先竿５の竿尻端部の外周面に竿尻端側程細径化する小径嵌合部５Ｃを形成し、二番竿６の竿先端部の大径嵌合部６Ａ内に嵌合して、伸長状態に継ぎ足し可能に構成してある。
【００２０】
この並継式竿Ｂにおける目印ａは次ぎのように形成されている。
つまり、穂先竿５の竿尻端に形成される目印ａは、竿尻側が大径の誘導部ｃとなっており、その誘導部ｃから竿先側に向けて細幅に絞った直線状部分ｄに形成されている。
一方、伸長状態で穂先竿５の後端が固定される二番竿６の玉口にも目印ａが設けてあり、この場合は、竿尻端側に大径の誘導部ｃを設け、その誘導部ｃから竿先側に向けて細幅に絞った直線状部分ｄに形成されている。
【００２１】
このような構成によって、当初は分離した状態にある穂先竿５を二番竿６に並継状態に設定するには、穂先竿５の後端に形成されている目印ａは竿尻端側が大径の誘導部ｃに形成されているので、目印ａを二番竿６の竿先端に大まかな位置あわせを行い、穂先竿５の竿尻端を二番竿６内に差し込むに連れて位置ズレを修正することが可能であり、位置合わせ操作が容易になる。
【００２２】
〔別実施の形態〕
（１）  並継式竿Ｂにおける目印ａとしては、印籠継式竿に適用してもよい。
（２）  目印ａとしては、竿体の外周面から一定の厚さに盛り上げるものでもよい。そうすると、目印ａを移動ガイド1Ｂ、２Ｂの固定位置に設ける場合には、移動ガイド1Ｂ、２Ｂを固定すると、周方向への回り止め機能を目印ａで補助できる。また、反対に、竿体の外周面から一定の深さに掘り下げるものでもよい。
（３）  目印ａとしては、蛍光塗料を塗布するものでもよい。そうすると、暗い釣り場でも、位置合わせ操作をする際に目印ａを見つけ易い。
（４）  目印ａにおける幅を太くする手段として、大径の誘導部ｃを形成することによって行ったが、誘導部ｃとしては幅を太くできるものであれば、長方形や正方形等の矩形のものでもよい。
【図面の簡単な説明】
【００２３】
【図１】振出竿を示す側面図
【図２】移動ガイド用の目印を示し、（イ）は移動ガイドを竿先側退避位置に位置させた状態を示す斜視図、（ロ）は移動ガイドを固定位置に位置させた状態を示す斜視図
【図３】移動ガイド用目印を示す平面図
【図４】振出竿の穂先竿の竿尻端に付設された目印を示し、（イ）は穂先竿を二番竿内に収納した状態を示す平面図、（ロ）は穂先竿を二番竿から引き出した状態を示す平面図
【図５】並継竿の穂先竿と二番竿との継部分に設けた目印を示し、（イ）は穂先竿を二番竿に継ぎ合わせた状態を示す側面図、（ロ）は穂先竿を二番竿から引き出した状態を示す平面図、（ハ）は穂先竿を二番竿継ぎ合わせた状態を示す平面図
【符号の説明】
【００２４】
１、２              竿先側竿体
２，３              竿尻側竿体
１Ａ、２Ａ、３Ａ    固定ガイド（トップガイド）
ａ                  目印
【図１】
2006191833.tif 000003
【図２】
2006191833.tif 000004
【図３】
2006191833.tif 000005
【図４】
2006191833.tif 000006
【図５】
2006191833.tif 000007